(57)【特許請求の範囲】
【請求項１】
側部又は後部に設けられた複数のパネル取付け金具に昇降可能とした昇降パネルを取付けてなる机において、
前記昇降パネル内に、上下方向を向くパネルレール及び縦杆と、前記パネルレールに沿って上下移動可能とした案内体とを設け、
前記案内体を前記机に固定するとともに、前記案内体と前記縦杆との間に、前記パネルの高さを調節する位置決め機構を設けたことを特徴とする昇降パネルを備える机。
【請求項２】
位置決め機構が、案内体に設けられて回動付勢されたロック部材と、縦杆に形成されたロック部材が係合する係止孔とを備えている請求項１記載の昇降パネルを備える机。
【請求項３】
位置決め機構が、昇降パネルを最上位まで引き上げたとき、押し上げられてロック部材を回動させ、このロック部材と係止孔とを非係合状態に保持する解除保持体を案内体に設けたものである請求項２記載の昇降パネルを備える机。
【発明の詳細な説明】
【０００１】
【発明の属する技術分野】
本発明は、昇降パネルを備える机に関する。
【０００２】
【従来の技術】
従来、テーブル、台、机等（本明細書では、総称して「机」と呼ぶ）に取付けられて、高さを変えることのできる昇降パネル（以下、本明細書では「パネル」と呼ぶ）は、机に設けられたブラケットのフックを、パネルに設けた複数の孔のうち、選択した孔に係合させるようになっている。
【０００３】
【発明が解決しようとする課題】
しかし、パネルは、高さを調節する際に、フックを孔から一旦取り外し、他の孔にフックを係合させる必要があるため、高さを調節することが面倒である。
特に、パネルが重い場合には、１人で高さを調節することが困難であり、誤って床にパネルを落として、パネルや床に損傷を与えるおそれもある。
【０００４】
本発明は、上記の問題点に鑑み、高さの調節を、簡単かつ速やかに行なえる昇降パネルを備える机を提供することを目的としている。
【０００５】
【課題を解決するための手段】
本発明によると、上記課題は、次のようにして解決される。
(１)側部又は後部に設けられた複数のパネル取付け金具に昇降可能とした昇降パネルを取付けてなる机において、前記昇降パネル内に、上下方向を向くパネルレール及び縦杆と、前記パネルレールに沿って上下移動可能とした案内体とを設け、前記案内体を前記机に固定するとともに、前記案内体と前記縦杆との間に、前記パネルの高さを調節する位置決め機構を設けている。
【０００６】
（２）上記（１）項において、位置決め機構が、案内体に設けられて回動付勢されたロック部材と、縦杆に形成されたロック部材が係合する係止孔とを備えている。
【０００７】
（３）上記（２）項において、位置決め機構を、昇降パネルを最上位まで引き上げたとき、押し上げられてロック部材を回動させ、このロック部材と係止孔とを非係合状態に保持する解除保持体を、案内体に設けたものとする。
【０００８】
【発明の実施の形態】
以下、本発明の実施の形態を、図１〜図１５に基づいて説明する。
図１及び図２に示すように、机（１）に取付けられるパネル（２）は、机（１）の後部や側部に昇降可能に設けられている。
【０００９】
図３及び図４に示すように、パネル（２）の骨組みは、上下方向を向く左右１対の縦杆（３）（３）と、この縦杆（３）の上下端を連結する左右方向を向く断面コ字状の上下１対の横杆（４）（４）とで形成されている。
【００１０】
パネル（２）は、この骨組みの表裏面に表パネル板（５）と裏パネル板（６）とを取付け、さらに、表、裏パネル板（５）（６）の上下左右の各縁に縁部材（７）（７）（８）（８）を装着し、角部に、ビス（９）によりＬ字状のコーナ部材（１０）を取付けて、平板状に形成されている。
【００１１】
パネル（２）は、裏パネル板（６）の縦長の長孔（６ａ）から突出させたブラケット（１１）を、図２に示す机（１）の天板（１２）の下面（１２ａ）に取付けて外方に突出するパネル取付け金具（１３）にねじ止めすることにより、机（１）に取付けられている。
【００１２】
図４及び図５に示すように、ブラケット（１１）は、縦杆（３）に沿って固定されているパネルレール（１４）に対して上下動可能に配設された上下１対の案内体（１５）（１５）に取付けられている。
【００１３】
図４及び図６に示すように、ブラケット（１１）の一端には、後述する案内片（１１ａ）が鉤状に形成されている。図４に示すように、左右１対のブラケット（１１）同士は、案内片（１１ａ）同士を、左右方向を向く連結フレーム（１６）によって接続することにより、一体化されている。
【００１４】
従って、案内体（１５）及び連結フレーム（１６）は、ブラケット（１１）とパネル取付け金具（１３）とを介して、机（１）と一体化されて固定されていることになり、パネル（２）は、固定された案内体（１５）上を、パネルレール（１４）がスライドすることによって上下動するようになっている。
【００１５】
図４に示すように、パネル（２）を所望の高さに調節できるように、案内片（１１ａ）と縦杆（３）との間に、位置決め機構（１７）が設けられている。
【００１６】
次に、位置決め機構の構成について説明する。
【００１７】
図６及び図７に示すように、位置決め機構（１７）は、案内片（１１ａ）より突設した上下１対の案内軸（１８）（１８）、及び上下１対の案内孔（１９）（１９）に案内されて上下動可能に設けられた断面コ字状のスライド体（２０）と、このスライド体（２０）に重ねられて、下方の案内軸（１８）に回転可能に設けられたロック部材（２１）と、ロック部材（２１）を時計回りに回転付勢するばね（２２）と、図６、図７及び図９に示す断面コ字状の縦杆（３）の角に切り欠かれて形成された係止孔（２３）と、図４に示すように、縦杆（３）の下部にスライド体（２０）の下端（２０ａ）に当接可能に突設されたＬ字状の下突片（２４）と、図４及び図７に示す縦杆（３）の中間部にスライド体（２０）の上端（２０ｂ）に当接可能に突設されたＬ字状の上突片（２５）とを備えている。
【００１８】
図７及び図８に示すように、ロック部材（２１）には、係止孔（２３）に係合する係止片（２１ａ）と、係止片（２１ａ）に対して直角に形成されて、縦杆（３）の側面（３ａ）に当接する当接片（２１ｂ）と、スライド体（２０）の内壁（２０ｃ）に当接する当接面（２１ｃ）とが形成されている。
図７に示すように、スライド体（２０）の側壁（２０ｄ）には、係止片（２１ａ）と当接片（２１ｂ）とが進入する切欠（２０ｅ）が形成されている。
【００１９】
次に前述した位置決め機構の動作について説明する。
【００２０】
図４及び図１０に示すように、パネル（２）は、ロック部材（２１）の係止片（２１ａ）が係止孔（２３）に係合して所定の高さに保持されている。即ち、ロック部材（２１）には、パネル（２）の荷重が加わっているために、時計回りの回転力が加わっているが、当接片（２１ｂ）が縦杆（３）の側面（３ａ）に当接し、かつ当接面（２１ｃ）が内壁（２０ｃ）に当接しているため、ロック部材（２１）は、回転規制されてパネル（２）を支持している。
【００２１】
図１１に示すように、パネル（２）の高さを高くするためにパネル（２）を引き上げると、パネル（２）の骨組みである縦杆（３）が上昇し、係止孔（２３）の下縁（２３ａ）が、ばね（２２）の弾性力に抗してロック部材（２１）を反時計回りに回転させ、係止孔（２３）とロック部材（２１）との係合を解除する。ロック部材（２１）には、ばね（２２）の時計回りの付勢力が作用しているため、パネル（２）の引き上げにともない、係止片（２１ａ）が下位の次の係止孔（２３）に係合する。これによって、パネル（２）を係止孔（２３）の１ピッチ分だけ高くすることができる。
【００２２】
さらに高くする場合には、再度、パネル（２）を引き上げて、さらに下位の係止孔（２３）に係止片（２１ａ）を係合させる。
【００２３】
このように、位置決め機構（１７）は、ロック部材（２１）を係止孔（２３）に係脱することによって、パネル（２）の高さを段階的に調節することのできるラチェット機構となっている。図１２は、最下位の係止孔（２３）に、係止片（２１ａ）を係止してパネルを最上位の高さに保持した状態である。
【００２４】
パネル（２）を最上位の高さに設定した後、或いは、パネル（２）を中位の高さに設定した後、低くする場合には、パネル（２）を、一旦、最上位に引き上げてから、最下位まで下降させ、その後、再度、引き上げることによって、パネル（２）を所望の高さにすることができる。
【００２５】
すなわち、図１３に示すように、パネル（２）を最も高く引き上げて、縦杆（３）の下部に突設された下突片（２４）をスライド体（２０）の下面に当接させ、案内片（１１ａ）上でスライド体（２０）を押し上げる。
【００２６】
すると、スライド体（２０）の切欠（２０ｅ）の下縁が、ロック部材（２１）をばね（２２）の付勢力に抗して反時計回りに回転させてロック部材（２１）を係止孔（２３）から離脱させる。ロック部材（２１）は、ばね（２２）によってスライド体（２０）の側壁（２０ｄ）に圧接され、係止孔（２３）に係合することができなくなる。
【００２７】
この状態で、図１４に示すように、パネル（２）を下降させる。パネル（２）の下降中におけるロック部材（２１）は、ばね（２２）によってスライド体（２０）の側壁（２０ｄ）を圧接して、スライド体（２０）を案内片（１１ａ）上で上位に保持している。
【００２８】
図１５に示すように、パネル（２）を最下位まで下降させると、縦杆（３）の中間部に突設された上突片（２５）はスライド体（２０）を押し下げる。すると、ロック部材（２１）の係止片（２１ａ）はスライド体（２０）の切欠（２０ｅ）から突出する。
【００２９】
再度、パネル（２）を引き上げて、前回の係止孔（２３）より上位の係止孔（２３）にロック部材（２１）を係合させれば、パネル（２）を所望の高さの低い位置に保持することができる。
【００３０】
以上説明したパネル（２）には、高さ調節をする際のパネル（２）を支える力の一助となる定荷重ばねが設けられている。
図４及び図１６に示すように、定荷重ばね（２６）は、パネル（２）を僅かな力で昇降できるように、連結フレーム（１６）と、パネル（２）の下側の横杆（４）との間に設けられている。
【００３１】
定荷重ばね（２６）は、パネル（２）に収容されて、横杆（４）上のブラケット（２７）に軸（２８）を介して設けられたドラム（２９）と、このドラム（２９）に巻き付けられて巻き出し端（３０ａ）が連結フレーム（１６）に取付けられている弾性帯鋼板（３０）とを備えている。裏パネル板（６）には、ドラム（２９）を収容する突部（６ｂ）が形成されている。
【００３２】
定荷重ばね（２６）は、弾性帯鋼板（３０）がドラム（２９）に巻き付くようになっている。このため、弾性帯鋼板（３０）を引き出すとそれに抗する張力が生じる。しかも、この張力は、弾性帯鋼板（３０）の引き出し長さに関係なくほぼ一定である。
【００３３】
従って、パネル（２）が昇降すると、ドラム（２９）もパネル（２）と一体に昇降する。しかし、連結フレーム（１６）が案内片（１１ａ）とブラケット（２７）とパネル取付け金具（１３）とを介して机（１）に対して固定されているため、この固定の連結フレーム（１６）に取付けられている弾性帯鋼板（３０）の巻き出し端（３０ａ）は昇降しない。
【００３４】
このように、定荷重ばね（２６）は、パネル（２）を下降させるときには、弾性帯鋼板（３０）がドラム（２９）から引き出され、パネル（２）を引き上げる力となってパネル（２）を支え、パネル（２）を上昇させるときには、弾性帯鋼板（３０）がドラム（２９）に巻き付かれて、パネル（２）を引き上げる力の一部を受け持ってパネル（２）の上昇を助ける。
すなわち、定荷重ばね（２６）は、昇降パネル（２）の重量バランスをとることができる。
【００３５】
しかも、定荷重ばね（２６）の張力は、弾性帯鋼板（３０）の引き出し長さに関係なく、ほぼ一定であるため、パネル（２）の高さに関係なく、ほぼ一定の張力でパネル（２）の昇降を助けることになり、パネル（２）を円滑に、かつ非力の人であっても１人で容易にパネル（２）の高さを調節することができる。
【００３６】
【発明の効果】
請求項１の発明によると、パネルに位置決め機構を備えているので、１人でパネルの高さを容易に調節することができる。
しかも、位置決め機構は、案内体と縦杆との間に設けられているため、構造を簡単にすることができる。
【００３７】
請求項２の発明においては、位置決め機構をロック部材と係止孔とからなるラチェット式としたので、パネルを所望の高さに容易に保持することができる。
【００３８】
請求項３の発明においては、解除保持体を設けてあるので、ラチェット式の位置決め機構であっても、パネルを最上位まで引き上げた後、パネルを再度、所望の高さにすることができる。
【図面の簡単な説明】
【図１】本発明の実施形態の昇降パネルを備える机の平面図である。
【図２】図１の机の正面図であり、後方のパネルを最も上昇させた場合と、最も下降させた場合を示す図である。
【図３】昇降パネルの分解斜視図である。
【図４】昇降パネルの表パネル板を省略して、表側から見た図である。
【図５】図４のＶ−Ｖ矢視断面図である。
【図６】図４のＶＩ−ＶＩ矢視断面図である。
【図７】位置決め機構の正面図である。
【図８】ロック部材の正面図である。
【図９】係止孔の斜視図である。
【図１０】位置決め機構の動作説明図である。
【図１１】同じく、位置決め機構の動作説明図であって、パネルを上昇させているときの図である。
【図１２】同じく、位置決め機構の動作説明図であって、パネルを最上位の位置に位置決めしたときの図である。
【図１３】同じく、位置決め機構の動作説明図であって、パネルを下降するために、パネルを最も引き上げて、ロック部材と係止孔との係合を解除した状態の図である。
【図１４】同じく、位置決め機構の動作説明図であって、パネルを下降中の図である。
【図１５】同じく、位置決め機構の動作説明図であって、パネルを最下位に保持した状態の図である。
【図１６】定荷重ばねの斜視図である。
【符号の説明】
（１）机
（２）昇降パネル
（３）縦杆
（３ａ）側面
（４）横杆
（５）表パネル板
（６）裏パネル板
（６ａ）長孔
（６ｂ）突部
（７）縁部材
（８）縁部材
（９）ビス
（１０）コーナ部材
（１１）ブラケット
（１１ａ）案内片
（１２）天板
（１２ａ）下面
（１３）パネル取付け金具
（１４）パネルレール
（１５）案内体
（１６）連結フレーム
（１７）位置決め機構
（１８）案内軸
（１９）案内孔
（２０）スライド体（解除保持体）
（２０ａ）下端
（２０ｂ）上端
（２０ｃ）内壁
（２０ｄ）側壁
（２０ｅ）切欠
（２１）ロック部材
（２１ａ）係止片
（２１ｂ）当接片
（２１ｃ）当接面
（２２）ばね
（２３）係止孔
（２３ａ）下縁
（２４）下突片
（２５）上突片
（２６）定荷重ばね
（２７）ブラケット
（２８）軸
（２９）ドラム
（３０）弾性帯鋼板
（３０ａ）巻き出し端
【図１】
0003579862.tif 000002
【図２】
0003579862.tif 000003
【図３】
0003579862.tif 000004
【図４】
0003579862.tif 000005
【図５】
0003579862.tif 000006
【図６】
0003579862.tif 000007
【図７】
0003579862.tif 000008
【図８】
0003579862.tif 000009
【図９】
0003579862.tif 000010
【図１０】
0003579862.tif 000011
【図１１】
0003579862.tif 000012
【図１２】
0003579862.tif 000013
【図１３】
0003579862.tif 000014
【図１４】
0003579862.tif 000015
【図１５】
0003579862.tif 000016
【図１６】
0003579862.tif 000017